(57)【要約】【課題】本発明は快速に野菜を洗うことができる野菜かごを開示した。【解決手段】かご本体を含み、前記かご本体には環状固定ブロックが固定的に設置されており、前記環状固定ブロックの中には内側に開口した環状回転チャンバが設置され、本発明の快速に野菜を洗うことができる野菜かごは反応が早く、操作が簡単明瞭であり、安全で信頼でき、同時に、本発明の装置は野菜を洗える面積が大きく、効率が高く、使用寿命が長く、実用性が高い。【選択図】図１
2020175088.tif 000002
【特許請求の範囲】
【請求項１】
かご本体を含み、前記かご本体には環状固定ブロックが固定的に設置されており、前記環状固定ブロックの中には内側に開口した環状回転チャンバが設置されており、前記環状回転チャンバの中には環状回転ブロックが回転できるように設置されており、前記環状回転チャンバの底壁には環状ギヤが固定的に設置されており、前記環状回転ブロックの右側端壁の中には下に開口した第一空きチャンバが設置されており、前記第一空きチャンバの頂壁の中には第二空きチャンバが設置されており、前記第二空きチャンバと前記第一空きチャンバとの間にはスプラインスリーブが回転できるように設置されており、前記第二空きチャンバの中の前記スプラインスリーブには第一ベベルギヤが固定的に設置されており、前記第一空きチャンバの中には前記スプラインスリーブと噛み合っているスプライン軸が設置されており、前記スプライン軸には前記環状ギヤと噛み合うことができる第一円形ギヤが固定的に設置されており、前記スプラインスリーブと前記第一円形ギヤの頂面との間にはばねが固定的に連結されており、前記第二空きチャンバの左側底壁には第三空きチャンバが連通するように設置されており、前記第三空きチャンバの左端壁の中には第一モータが設置されており、前記第一モータの右端には第一駆動軸が動力が伝達できるように連結され、前記第一駆動軸には前記第一ベベルギヤと噛み合っている第二ベベルギヤが固定的に設置されており、前記第一モータの左端壁には第二モータが固定的に設置されており、前記第二モータの左端壁には内に伸びている第一回転軸が回転できるように設置されており、前記第一回転軸の中には前記第二モータと動力が伝達できるように連結されている第二駆動軸が回転できるように設置されており、前記第一回転軸の左端面には第一揺れ動きブロックが固定的に設置されており、前記第一揺れ動きブロックの中には第四空きチャンバが設置されており、前記第二駆動軸が前記第四空きチャンバの中に挿入されており、前記第二駆動軸の左端には第一リールが固定的に設置されており、前記第四空きチャンバの底壁には第五空きチャンバが連通するように設置されており、前記第五空きチャンバの中には第二回転軸が回転できるように設置されており、前記第二回転軸にはローラ及び前記ローラの前側に位置している第二リールが固定的に設置されており、前記第一リールと前記第二リールとの間には第一鋼線が連結されており、前記第二回転軸と前記第五空きチャンバの前端壁との間には捻りばねが固定的に連結されており、前記第五空きチャンバの底壁には左右に貫通しているスライド溝が連通するように設置され、
そのため、第一モータが第一円形ギヤを連動させて回転させ、第一円形ギヤと環状ギヤとが結合されて環状回転ブロックを連動させて回転させ、第二モータがローラを連動させて回転させることを特徴とする快速に野菜を洗うことができる野菜かご。
【請求項２】
前記環状回転ブロックの左側端壁の中には下方へ開口した第六空きチャンバが設置されており、前記第六空きチャンバの頂壁の中には第七空きチャンバが設置されており、前記第七空きチャンバと前記第六空きチャンバとの間には第三回転軸が回転できるように設置されており、前記第六空きチャンバの中の前記第三回転軸には前記環状ギヤと噛み合っている第二円形ギヤが固定的に設置されており、前記第七空きチャンバの中の前記第三回転軸には第三ベベルギヤが固定的に設置されており、前記第七空きチャンバの右端壁の中には第八空きチャンバが設置されており、前記第八空きチャンバと前記第七空きチャンバとの間には第四回転軸が回転できるように設置されており、前記第七空きチャンバの中の前記第四回転軸には前記第三ベベルギヤと噛み合ている第四ベベルギヤが固定的に設置されており、前記第八空きチャンバの中の前記第四回転軸には扇形ギヤが固定的に設置されており、前記第八空きチャンバと前記環状回転ブロックの内側空間との間には第五回転軸が回転できるように設置されており、前記第八空きチャンバの中の前記第五回転軸には前記扇形ギヤと噛み合っている第三円形ギヤが固定的に設置され、
これにより、環状回転ブロックが第二円形ギヤを連動させて回転させ、第二円形ギヤが第一揺れ動きブロックを連動させて揺り動かすことを特徴とする請求項１に記載の快速に野菜を洗うことができる野菜かご。
【請求項３】
前記第五回転軸の右端には第二揺れ動きブロックが固定的に設置されており、前記スライド溝の中には前記第二揺れ動きブロックの左側端面と固定的に連結されている軟質ひもがスライドできるように設置されており、前記軟質ひもの底面にはブラシが固定的に設置されており、前記第一空きチャンバの左端壁には線溝が連通するように設置されており、前記軟質ひもの右端と前記第一円形ギヤの底面との間には第二鋼線が固定的に設置され、
これにより、ローラが軟質ひもを連動させてスライドさせ、軟質ひもがスライドしてブラシを野菜と接触させ、同時に第一円形ギヤと環状ギヤとを連動させて&#22169;み合わせることを特徴とする請求項１に記載の快速に野菜を洗うことができる野菜かご。
【発明の詳細な説明】
【技術分野】
【０００１】
本発明はキッチン用品技術分野を取り上げて、具体的には快速に野菜を洗うことができる野菜かごである。
【背景技術】
【０００２】
普通の野菜かごは機能が単一であり、野菜かごの中で手で野菜を洗うと、時間や力を費やし、また野菜を洗える面積が小さく、効率が低い。そのため、快速に野菜を洗うことができる野菜かごを設計して上記の問題を解決することが必要である。
【先行技術文献】
【特許文献】
【０００３】
【特許文献１】中国特許出願公開第１０８１８５９６８号明細書
【発明の概要】
【発明が解決しようとする課題】
【０００４】
本発明は快速に野菜を洗うことができる野菜かごを提供し、従来技術における上記問題を解決することを目的とする。
【課題を解決するための手段】
【０００５】
本発明は以下の技術プランにより実現される：本発明の快速に野菜を洗うことができる野菜かごは、かご本体を含み、前記かご本体には環状固定ブロックが固定的に設置されており、前記環状固定ブロックの中には内側に開口した環状回転チャンバが設置されており、前記環状回転チャンバの中には環状回転ブロックが回転できるように設置されており、前記環状回転チャンバの底壁には環状ギヤが固定的に設置されており、前記環状回転ブロックの右側端壁の中には下に開口した第一空きチャンバが設置されており、前記第一空きチャンバの頂壁の中には第二空きチャンバが設置されており、前記第二空きチャンバと前記第一空きチャンバとの間にはスプラインスリーブが回転できるように設置されており、前記第二空きチャンバの中の前記スプラインスリーブには第一ベベルギヤが固定的に設置されており、前記第一空きチャンバの中には前記スプラインスリーブと噛み合っているスプライン軸が設置されており、前記スプライン軸には前記環状ギヤと噛み合うことができる第一円形ギヤが固定的に設置されており、前記スプラインスリーブと前記第一円形ギヤの頂面との間にはばねが固定的に連結されており、前記第二空きチャンバの左側底壁には第三空きチャンバが連通するように設置されており、前記第三空きチャンバの左端壁の中には第一モータが設置されており、前記第一モータの右端には第一駆動軸が動力が伝達できるように連結され、前記第一駆動軸には前記第一ベベルギヤと噛み合っている第二ベベルギヤが固定的に設置されており、前記第一モータの左端壁には第二モータが固定的に設置されており、前記第二モータの左端壁には内に伸びている第一回転軸が回転できるように設置されており、前記第一回転軸の中には前記第二モータと動力が伝達できるように連結されている第二駆動軸が回転できるように設置されており、前記第一回転軸の左端面には第一揺れ動きブロックが固定的に設置されており、前記第一揺れ動きブロックの中には第四空きチャンバが設置されており、前記第二駆動軸が前記第四空きチャンバの中に挿入されており、前記第二駆動軸の左端には第一リールが固定的に設置されており、前記第四空きチャンバの底壁には第五空きチャンバが連通するように設置されており、前記第五空きチャンバの中には第二回転軸が回転できるように設置されており、前記第二回転軸にはローラ及び前記ローラの前側に位置している第二リールが固定的に設置されており、前記第一リールと前記第二リールとの間には第一鋼線が連結されており、前記第二回転軸と前記第五空きチャンバの前端壁との間には捻りばねが固定的に連結されており、前記第五空きチャンバの底壁には左右に貫通しているスライド溝が連通するように設置されている。
【０００６】
好ましくは、前記環状回転ブロックの左側端壁の中には下方へ開口した第六空きチャンバが設置されており、前記第六空きチャンバの頂壁の中には第七空きチャンバが設置されており、前記第七空きチャンバと前記第六空きチャンバとの間には第三回転軸が回転できるように設置されており、前記第六空きチャンバの中の前記第三回転軸には前記環状ギヤと噛み合っている第二円形ギヤが固定的に設置されており、前記第七空きチャンバの中の前記第三回転軸には第三ベベルギヤが固定的に設置されており、前記第七空きチャンバの右端壁の中には第八空きチャンバが設置されており、前記第八空きチャンバと前記第七空きチャンバとの間には第四回転軸が回転できるように設置されており、前記第七空きチャンバの中の前記第四回転軸には前記第三ベベルギヤと噛み合ている第四ベベルギヤが固定的に設置されており、前記第八空きチャンバの中の前記第四回転軸には扇形ギヤが固定的に設置されており、前記第八空きチャンバと前記環状回転ブロックの内側空間との間には第五回転軸が回転できるように設置されており、前記第八空きチャンバの中の前記第五回転軸には前記扇形ギヤと噛み合っている第三円形ギヤが固定的に設置されている。
【０００７】
好ましくは、前記第五回転軸の右端には第二揺れ動きブロックが固定的に設置されており、前記スライド溝の中には前記第二揺れ動きブロックの左側端面と固定的に連結されている軟質ひもがスライドできるように設置されており、前記軟質ひもの底面にはブラシが固定的に設置されており、前記第一空きチャンバの左端壁には線溝が連通するように設置されており、前記軟質ひもの右端と前記第一円形ギヤの底面との間には第二鋼線が固定的に設置されている。
【発明の効果】
【０００８】
以上により、本発明の有益効果は：本発明の快速に野菜を洗うことができる野菜かごは反応が早く、操作が簡単明瞭であり、安全で信頼でき、同時に、本発明の装置は野菜を洗える面積が大きく、効率が高く、使用寿命が長く、実用性が高い。
【図面の簡単な説明】
【０００９】
便利しやすいために、本発明は以下の具体的な実施例及び付図により詳しく説明される。
【００１０】
【図１】図１は本発明の快速に野菜を洗うことができる野菜かごの全体構成模式図
【図２】図２は図１の中のＡの拡大構成模式図
【図３】図３は図２の中のＢの拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜３を参照し、本発明の快速に野菜を洗うことができる野菜かごは、かご本体１３を含み、前記かご本体１３には環状固定ブロック１０が固定的に設置されており、前記環状固定ブロック１０の中には内側に開口した環状回転チャンバ１１が設置されており、前記環状回転チャンバ１１の中には環状回転ブロック１７が回転できるように設置されており、前記環状回転チャンバ１１の底壁には環状ギヤ３３が固定的に設置されており、前記環状回転ブロック１７の右側端壁の中には下に開口した第一空きチャンバ３７が設置されており、前記第一空きチャンバ３７の頂壁の中には第二空きチャンバ４１が設置されており、前記第二空きチャンバ４１と前記第一空きチャンバ３７との間にはスプラインスリーブ３９が回転できるように設置されており、前記第二空きチャンバ４１の中の前記スプラインスリーブ３９には第一ベベルギヤ４０が固定的に設置されており、前記第一空きチャンバ３７の中には前記スプラインスリーブ３９と噛み合っているスプライン軸３８が設置されており、前記スプライン軸３８には前記環状ギヤ３３と噛み合うことができる第一円形ギヤ３５が固定的に設置されており、前記スプラインスリーブ３９と前記第一円形ギヤ３５の頂面との間にはばね３６が固定的に連結されており、前記第二空きチャンバ４１の左側底壁には第三空きチャンバ４５が連通するように設置されており、前記第三空きチャンバ４５の左端壁の中には第一モータ５７が設置されており、前記第一モータ５７の右端には第一駆動軸４４が動力が伝達できるように連結され、前記第一駆動軸４４には前記第一ベベルギヤ４０と噛み合っている第二ベベルギヤ４３が固定的に設置されており、前記第一モータ５７の左端壁には第二モータ１８が固定的に設置されており、前記第二モータ１８の左端壁には内に伸びている第一回転軸１９が回転できるように設置されており、前記第一回転軸１９の中には前記第二モータ１８と動力が伝達できるように連結されている第二駆動軸２３が回転できるように設置されており、前記第一回転軸１９の左端面には第一揺れ動きブロック２０が固定的に設置されており、前記第一揺れ動きブロック２０の中には第四空きチャンバ２１が設置されており、前記第二駆動軸２３が前記第四空きチャンバ２１の中に挿入されており、前記第二駆動軸２３の左端には第一リール２２が固定的に設置されており、前記第四空きチャンバ２１の底壁には第五空きチャンバ２４が連通するように設置されており、前記第五空きチャンバ２４の中には第二回転軸２６が回転できるように設置されており、前記第二回転軸２６にはローラ２７及び前記ローラ２７の前側に位置している第二リール２８が固定的に設置されており、前記第一リール２２と前記第二リール２８との間には第一鋼線３０が連結されており、前記第二回転軸２６と前記第五空きチャンバ２４の前端壁との間には捻りばね２９が固定的に連結されており、前記第五空きチャンバ２４の底壁には左右に貫通しているスライド溝２５が連通するように設置されている。
【００１４】
有益的には、前記環状回転ブロック１７の左側端壁の中には下方へ開口した第六空きチャンバ５０が設置されており、前記第六空きチャンバ５０の頂壁の中には第七空きチャンバ４６が設置されており、前記第七空きチャンバ４６と前記第六空きチャンバ５０との間には第三回転軸４８が回転できるように設置されており、前記第六空きチャンバ５０の中の前記第三回転軸４８には前記環状ギヤ３３と噛み合っている第二円形ギヤ４９が固定的に設置されており、前記第七空きチャンバ４６の中の前記第三回転軸４８には第三ベベルギヤ４７が固定的に設置されており、前記第七空きチャンバ４６の右端壁の中には第八空きチャンバ５３が設置されており、前記第八空きチャンバ５３と前記第七空きチャンバ４６との間には第四回転軸５５が回転できるように設置されており、前記第七空きチャンバ４６の中の前記第四回転軸５５には前記第三ベベルギヤ４７と噛み合ている第四ベベルギヤ５６が固定的に設置されており、前記第八空きチャンバ５３の中の前記第四回転軸５５には扇形ギヤ５４が固定的に設置されており、前記第八空きチャンバ５３と前記環状回転ブロック１７の内側空間との間には第五回転軸５２が回転できるように設置されており、前記第八空きチャンバ５３の中の前記第五回転軸５２には前記扇形ギヤ５４と噛み合っている第三円形ギヤ５１が固定的に設置されている。
【００１５】
有益的には、前記第五回転軸５２の右端には第二揺れ動きブロック１４が固定的に設置されており、前記スライド溝２５の中には前記第二揺れ動きブロック１４の左側端面と固定的に連結されている軟質ひも１６がスライドできるように設置されており、前記軟質ひも１６の底面にはブラシ１５が固定的に設置されており、前記第一空きチャンバ３７の左端壁には線溝４２が連通するように設置されており、前記軟質ひも１６の右端と前記第一円形ギヤ３５の底面との間には第二鋼線３２が固定的に設置されている。
【００１６】
以下、出願人は付図１−３及び上記の本出願の快速に野菜を洗うことができる野菜かごの具体的な構成を参照してその使用方法を詳しく紹介する：
【００１７】
まず、初期状態にある時、第一円形ギヤ３５が環状ギヤ３３と噛み合っていない。
【００１８】
野菜をかご本体１３の頂面に置き、第二モータ１８を始動し、第二モータ１８が第二駆動軸２３を連動させて回転させ、第二駆動軸２３が第一リール２２を連動させて回転させ、第一リール２２が回転して第一鋼線３０を引っ張り、これにより第二リール２８を回転させ、第二リール２８がローラ２７を連動させて回転させ、ローラ２７が軟質ひも１６を連動させて左へスライドさせ、これにより軟質ひも１６がブラシ１５を野菜と接触させ、同時に軟質ひも１６が第二鋼線３２を引き動かし、第二鋼線３２が第一円形ギヤ３５とスプライン軸３８とを連動させて下へスライドさせ、第一円形ギヤ３５が環状ギヤ３３と噛み合う。
【００１９】
そして、かご本体１３を水の中に浸し、第一モータ５７を始動し、第一モータ５７が第一駆動軸４４と第二ベベルギヤ４３とを連動させて回転させ、第二ベベルギヤ４３が第一ベベルギヤ４０とスプラインスリーブ３９とを連動させて回転させ、スプラインスリーブ３９がスプライン軸３８と第一円形ギヤ３５とを連動させて回転させ、第一円形ギヤ３５が回転して環状ギヤ３３と噛み合い、環状回転ブロック１７を連動させて回転させる。
【００２０】
同時に、環状回転ブロック１７が第二円形ギヤ４９を連動させて環状ギヤ３３の中心を回って回転させ、環状ギヤ３３が第二円形ギヤ４９を連動させて回転させ、第二円形ギヤ４９が第三ベベルギヤ４７を連動させて回転させ、第三ベベルギヤ４７が第四ベベルギヤ５６と扇形ギヤ５４とを連動させて回転させ、扇形ギヤ５４が回転した後で第三円形ギヤ５１と噛み合い、これにより第三円形ギヤ５１を連動させて回転させ、第三円形ギヤ５１が第二揺れ動きブロック１４を連動させて回転させ、第二揺れ動きブロック１４が第一揺れ動きブロック２０を連動させて回転させ、扇形ギヤ５４が第三円形ギヤ５１との噛み合いから離脱する時、第二揺れ動きブロック１４と第一揺れ動きブロック２０とが重力の作用のもとで最初の位置まで戻り、即ち第二揺れ動きブロック１４と第一揺れ動きブロック２０とが絶えず揺れ動き、これによりブラシ１５が野菜を繰り返して洗う。
【００２１】
以上により、本発明の快速に野菜を洗うことができる野菜かごは反応が早く、操作が簡単明瞭であり、安全で信頼でき、同時に、本発明の装置は野菜を洗える面積が大きく、効率が高く、使用寿命が長く、実用性が高い。
【００２２】
以上に述べたのはただ本発明の具体的な実施方式で、しかし本発明の保護範囲はここに限らないであり、全部の創造的な労働を通じなく思いついた変化と取替は本発明の保護範囲にカバーされる。
【図１】
2020175088.tif 000003
【図２】
2020175088.tif 000004
【図３】
2020175088.tif 000005
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
かご本体を含み、前記かご本体には環状固定ブロックが固定的に設置されており、前記環状固定ブロックの中には内側に開口した環状回転チャンバが設置されており、前記環状回転チャンバの中には環状回転ブロックが回転できるように設置されており、前記環状回転チャンバの底壁には環状ギヤが固定的に設置されており、前記環状回転ブロックの右側端壁の中には下に開口した第一空きチャンバが設置されており、前記第一空きチャンバの頂壁の中には第二空きチャンバが設置されており、前記第二空きチャンバと前記第一空きチャンバとの間にはスプラインスリーブが回転できるように設置されており、前記第二空きチャンバの中の前記スプラインスリーブには第一ベベルギヤが固定的に設置されており、前記第一空きチャンバの中には前記スプラインスリーブと噛み合っているスプライン軸が設置されており、前記スプライン軸には前記環状ギヤと噛み合うことができる第一円形ギヤが固定的に設置されており、前記スプラインスリーブと前記第一円形ギヤの頂面との間にはばねが固定的に連結されており、前記第二空きチャンバの左側底壁には第三空きチャンバが連通するように設置されており、前記第三空きチャンバの左端壁の中には第一モータが設置されており、前記第一モータの右端には第一駆動軸が動力が伝達できるように連結され、前記第一駆動軸には前記第一ベベルギヤと噛み合っている第二ベベルギヤが固定的に設置されており、前記第一モータの左端壁には第二モータが固定的に設置されており、前記第二モータの左端壁には内に伸びている第一回転軸が回転できるように設置されており、前記第一回転軸の中には前記第二モータと動力が伝達できるように連結されている第二駆動軸が回転できるように設置されており、前記第一回転軸と前記第二駆動軸とが回転できるように連結され、前記第一回転軸の左端面には前記第二駆動軸と回転できるように連結される第一揺れ動きブロックが固定的に設置されており、また前記第二モータが前記第二駆動軸を駆動し回転させるとき、前記第一回転軸と前記第一揺れ動きブロックとを回転連動させなく、前記第一揺れ動きブロックの中には第四空きチャンバが設置されており、前記第二駆動軸が前記第四空きチャンバの中に挿入されており、前記第二駆動軸の左端には第一リールが固定的に設置されており、前記第四空きチャンバの底壁には第五空きチャンバが連通するように設置されており、前記第五空きチャンバの中には第二回転軸が回転できるように設置されており、前記第二回転軸にはローラ及び前記ローラの前側に位置している第二リールが固定的に設置されており、前記第一リールと前記第二リールとの間には第一鋼線が連結されており、前記第二回転軸と前記第五空きチャンバの前端壁との間には捻りばねが固定的に連結されており、前記第五空きチャンバの底壁には左右に貫通しているスライド溝が連通するように設置され、
そのため、第一モータが第一円形ギヤを連動させて回転させ、第一円形ギヤと環状ギヤとが噛み合って環状回転ブロックを連動させて回転させ、第二モータがローラを連動させて回転させ、
前記環状回転ブロックの左側端壁の中には下方へ開口した第六空きチャンバが設置されており、前記第六空きチャンバの頂壁の中には第七空きチャンバが設置されており、前記第七空きチャンバと前記第六空きチャンバとの間には第三回転軸が回転できるように設置されており、前記第六空きチャンバの中の前記第三回転軸には前記環状ギヤと噛み合っている第二円形ギヤが固定的に設置されており、前記第七空きチャンバの中の前記第三回転軸には第三ベベルギヤが固定的に設置されており、前記第七空きチャンバの右端壁の中には第八空きチャンバが設置されており、前記第八空きチャンバと前記第七空きチャンバとの間には第四回転軸が回転できるように設置されており、前記第七空きチャンバの中の前記第四回転軸には前記第三ベベルギヤと噛み合ている第四ベベルギヤが固定的に設置されており、前記第八空きチャンバの中の前記第四回転軸には扇形ギヤが固定的に設置されており、前記第八空きチャンバと前記環状回転ブロックの内側空間との間には第五回転軸が回転できるように設置されており、前記第八空きチャンバの中の前記第五回転軸には前記扇形ギヤと噛み合っている第三円形ギヤが固定的に設置され、
これにより、環状回転ブロックが第二円形ギヤを連動させて回転させ、第二円形ギヤが第一揺れ動きブロックを連動させて揺り動かし、
前記第五回転軸の右端には第二揺れ動きブロックが固定的に設置されており、前記スライド溝の中には前記第二揺れ動きブロックの左側端面と固定的に連結されている軟質ひもがスライドできるように設置されており、前記軟質ひもの底面にはブラシが固定的に設置されており、前記第一空きチャンバの左端壁には線溝が連通するように設置されており、前記軟質ひもの右端と前記第一円形ギヤの底面との間には第二鋼線が固定的に設置され、
これにより、ローラが軟質ひもを連動させてスライドさせ、軟質ひもがスライドしてブラシを野菜と接触させ、同時に第一円形ギヤと環状ギヤとを連動させて噛み合わせることを特徴とする快速に野菜を洗うことができる野菜かご。
【手続補正２】
【補正対象書類名】明細書
【補正対象項目名】全文
【補正方法】変更
【補正の内容】
【発明の詳細な説明】
【技術分野】
【０００１】
本発明はキッチン用品技術分野を取り上げて、具体的には快速に野菜を洗うことができる野菜かごである。
【背景技術】
【０００２】
普通の野菜かごは機能が単一であり、野菜かごの中で手で野菜を洗うと、時間や力を費やし、また野菜を洗える面積が小さく、効率が低い。そのため、快速に野菜を洗うことができる野菜かごを設計して上記の問題を解決することが必要である。
【先行技術文献】
【特許文献】
【０００３】
【特許文献１】中国特許出願公開第１０８１８５９６８号明細書
【発明の概要】
【発明が解決しようとする課題】
【０００４】
本発明は快速に野菜を洗うことができる野菜かごを提供し、従来技術における上記問題を解決することを目的とする。
【課題を解決するための手段】
【０００５】
本発明は以下の技術プランにより実現される：本発明の快速に野菜を洗うことができる野菜かごは、かご本体を含み、前記かご本体には環状固定ブロックが固定的に設置されており、前記環状固定ブロックの中には内側に開口した環状回転チャンバが設置されており、前記環状回転チャンバの中には環状回転ブロックが回転できるように設置されており、前記環状回転チャンバの底壁には環状ギヤが固定的に設置されており、前記環状回転ブロックの右側端壁の中には下に開口した第一空きチャンバが設置されており、前記第一空きチャンバの頂壁の中には第二空きチャンバが設置されており、前記第二空きチャンバと前記第一空きチャンバとの間にはスプラインスリーブが回転できるように設置されており、前記第二空きチャンバの中の前記スプラインスリーブには第一ベベルギヤが固定的に設置されており、前記第一空きチャンバの中には前記スプラインスリーブと噛み合っているスプライン軸が設置されており、前記スプライン軸には前記環状ギヤと噛み合うことができる第一円形ギヤが固定的に設置されており、前記スプラインスリーブと前記第一円形ギヤの頂面との間にはばねが固定的に連結されており、前記第二空きチャンバの左側底壁には第三空きチャンバが連通するように設置されており、前記第三空きチャンバの左端壁の中には第一モータが設置されており、前記第一モータの右端には第一駆動軸が動力が伝達できるように連結され、前記第一駆動軸には前記第一ベベルギヤと噛み合っている第二ベベルギヤが固定的に設置されており、前記第一モータの左端壁には第二モータが固定的に設置されており、前記第二モータの左端壁には内に伸びている第一回転軸が回転できるように設置されており、前記第一回転軸の中には前記第二モータと動力が伝達できるように連結されている第二駆動軸が回転できるように設置されており、前記第一回転軸と前記第二駆動軸とが回転できるように連結され、前記第一回転軸の左端面には前記第二駆動軸と回転できるように連結される第一揺れ動きブロックが固定的に設置されており、また前記第二モータが前記第二駆動軸を駆動し回転させるとき、前記第一回転軸と前記第一揺れ動きブロックとを回転連動させなく、前記第一揺れ動きブロックの中には第四空きチャンバが設置されており、前記第二駆動軸が前記第四空きチャンバの中に挿入されており、前記第二駆動軸の左端には第一リールが固定的に設置されており、前記第四空きチャンバの底壁には第五空きチャンバが連通するように設置されており、前記第五空きチャンバの中には第二回転軸が回転できるように設置されており、前記第二回転軸にはローラ及び前記ローラの前側に位置している第二リールが固定的に設置されており、前記第一リールと前記第二リールとの間には第一鋼線が連結されており、前記第二回転軸と前記第五空きチャンバの前端壁との間には捻りばねが固定的に連結されており、前記第五空きチャンバの底壁には左右に貫通しているスライド溝が連通するように設置されている。
【０００６】
好ましくは、前記環状回転ブロックの左側端壁の中には下方へ開口した第六空きチャンバが設置されており、前記第六空きチャンバの頂壁の中には第七空きチャンバが設置されており、前記第七空きチャンバと前記第六空きチャンバとの間には第三回転軸が回転できるように設置されており、前記第六空きチャンバの中の前記第三回転軸には前記環状ギヤと噛み合っている第二円形ギヤが固定的に設置されており、前記第七空きチャンバの中の前記第三回転軸には第三ベベルギヤが固定的に設置されており、前記第七空きチャンバの右端壁の中には第八空きチャンバが設置されており、前記第八空きチャンバと前記第七空きチャンバとの間には第四回転軸が回転できるように設置されており、前記第七空きチャンバの中の前記第四回転軸には前記第三ベベルギヤと噛み合ている第四ベベルギヤが固定的に設置されており、前記第八空きチャンバの中の前記第四回転軸には扇形ギヤが固定的に設置されており、前記第八空きチャンバと前記環状回転ブロックの内側空間との間には第五回転軸が回転できるように設置されており、前記第八空きチャンバの中の前記第五回転軸には前記扇形ギヤと噛み合っている第三円形ギヤが固定的に設置されている。
【０００７】
好ましくは、前記第五回転軸の右端には第二揺れ動きブロックが固定的に設置されており、前記スライド溝の中には前記第二揺れ動きブロックの左側端面と固定的に連結されている軟質ひもがスライドできるように設置されており、前記軟質ひもの底面にはブラシが固定的に設置されており、前記第一空きチャンバの左端壁には線溝が連通するように設置されており、前記軟質ひもの右端と前記第一円形ギヤの底面との間には第二鋼線が固定的に設置されている。
【発明の効果】
【０００８】
以上により、本発明の有益効果は：本発明の快速に野菜を洗うことができる野菜かごは反応が早く、操作が簡単明瞭であり、安全で信頼でき、同時に、本発明の装置は野菜を洗える面積が大きく、効率が高く、使用寿命が長く、実用性が高い。
【図面の簡単な説明】
【０００９】
便利しやすいために、本発明は以下の具体的な実施例及び付図により詳しく説明される。
【００１０】
【図１】図１は本発明の快速に野菜を洗うことができる野菜かごの全体構成模式図
【図２】図２は図１の中のＡの拡大構成模式図
【図３】図３は図２の中のＢの拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜３を参照し、本発明の快速に野菜を洗うことができる野菜かごは、かご本体１３を含み、前記かご本体１３には環状固定ブロック１０が固定的に設置されており、前記環状固定ブロック１０の中には内側に開口した環状回転チャンバ１１が設置されており、前記環状回転チャンバ１１の中には環状回転ブロック１７が回転できるように設置されており、前記環状回転チャンバ１１の底壁には環状ギヤ３３が固定的に設置されており、前記環状回転ブロック１７の右側端壁の中には下に開口した第一空きチャンバ３７が設置されており、前記第一空きチャンバ３７の頂壁の中には第二空きチャンバ４１が設置されており、前記第二空きチャンバ４１と前記第一空きチャンバ３７との間にはスプラインスリーブ３９が回転できるように設置されており、前記第二空きチャンバ４１の中の前記スプラインスリーブ３９には第一ベベルギヤ４０が固定的に設置されており、前記第一空きチャンバ３７の中には前記スプラインスリーブ３９と噛み合っているスプライン軸３８が設置されており、前記スプライン軸３８には前記環状ギヤ３３と噛み合うことができる第一円形ギヤ３５が固定的に設置されており、前記スプラインスリーブ３９と前記第一円形ギヤ３５の頂面との間にはばね３６が固定的に連結されており、前記第二空きチャンバ４１の左側底壁には第三空きチャンバ４５が連通するように設置されており、前記第三空きチャンバ４５の左端壁の中には第一モータ５７が設置されており、前記第一モータ５７の右端には第一駆動軸４４が動力が伝達できるように連結され、前記第一駆動軸４４には前記第一ベベルギヤ４０と噛み合っている第二ベベルギヤ４３が固定的に設置されており、前記第一モータ５７の左端壁には第二モータ１８が固定的に設置されており、前記第二モータ１８の左端壁には内に伸びている第一回転軸１９が回転できるように設置されており、前記第一回転軸１９の中には前記第二モータ１８と動力が伝達できるように連結されている第二駆動軸２３が回転できるように設置されており、前記第一回転軸１９と前記第二駆動軸２３とが回転できるように連結され、前記第一回転軸１９の左端面には前記第二駆動軸２３と回転できるように連結される第一揺れ動きブロック２０が固定的に設置されており、また前記第二モータ１８が前記第二駆動軸２３を駆動し回転させるとき、前記第一回転軸１９と前記第一揺れ動きブロック２０とを回転連動させなく、前記第一揺れ動きブロック２０の中には第四空きチャンバ２１が設置されており、前記第二駆動軸２３が前記第四空きチャンバ２１の中に挿入されており、前記第二駆動軸２３の左端には第一リール２２が固定的に設置されており、前記第四空きチャンバ２１の底壁には第五空きチャンバ２４が連通するように設置されており、前記第五空きチャンバ２４の中には第二回転軸２６が回転できるように設置されており、前記第二回転軸２６にはローラ２７及び前記ローラ２７の前側に位置している第二リール２８が固定的に設置されており、前記第一リール２２と前記第二リール２８との間には第一鋼線３０が連結されており、前記第二回転軸２６と前記第五空きチャンバ２４の前端壁との間には捻りばね２９が固定的に連結されており、前記第五空きチャンバ２４の底壁には左右に貫通しているスライド溝２５が連通するように設置されている。
【００１４】
有益的には、前記環状回転ブロック１７の左側端壁の中には下方へ開口した第六空きチャンバ５０が設置されており、前記第六空きチャンバ５０の頂壁の中には第七空きチャンバ４６が設置されており、前記第七空きチャンバ４６と前記第六空きチャンバ５０との間には第三回転軸４８が回転できるように設置されており、前記第六空きチャンバ５０の中の前記第三回転軸４８には前記環状ギヤ３３と噛み合っている第二円形ギヤ４９が固定的に設置されており、前記第七空きチャンバ４６の中の前記第三回転軸４８には第三ベベルギヤ４７が固定的に設置されており、前記第七空きチャンバ４６の右端壁の中には第八空きチャンバ５３が設置されており、前記第八空きチャンバ５３と前記第七空きチャンバ４６との間には第四回転軸５５が回転できるように設置されており、前記第七空きチャンバ４６の中の前記第四回転軸５５には前記第三ベベルギヤ４７と噛み合ている第四ベベルギヤ５６が固定的に設置されており、前記第八空きチャンバ５３の中の前記第四回転軸５５には扇形ギヤ５４が固定的に設置されており、前記第八空きチャンバ５３と前記環状回転ブロック１７の内側空間との間には第五回転軸５２が回転できるように設置されており、前記第八空きチャンバ５３の中の前記第五回転軸５２には前記扇形ギヤ５４と噛み合っている第三円形ギヤ５１が固定的に設置されている。
【００１５】
有益的には、前記第五回転軸５２の右端には第二揺れ動きブロック１４が固定的に設置されており、前記スライド溝２５の中には前記第二揺れ動きブロック１４の左側端面と固定的に連結されている軟質ひも１６がスライドできるように設置されており、前記軟質ひも１６の底面にはブラシ１５が固定的に設置されており、前記第一空きチャンバ３７の左端壁には線溝４２が連通するように設置されており、前記軟質ひも１６の右端と前記第一円形ギヤ３５の底面との間には第二鋼線３２が固定的に設置されている。
【００１６】
以下、出願人は付図１−３及び上記の本出願の快速に野菜を洗うことができる野菜かごの具体的な構成を参照してその使用方法を詳しく紹介する：
【００１７】
まず、初期状態にある時、第一円形ギヤ３５が環状ギヤ３３と噛み合っていない。
【００１８】
野菜をかご本体１３の頂面に置き、第二モータ１８を始動し、第二モータ１８が第二駆動軸２３を連動させて回転させ、第二駆動軸２３が第一リール２２を連動させて回転させ、第一リール２２が回転して第一鋼線３０を引っ張り、これにより第二リール２８を回転させ、第二リール２８がローラ２７を連動させて回転させ、ローラ２７が軟質ひも１６を連動させて左へスライドさせ、これにより軟質ひも１６がブラシ１５を野菜と接触させ、同時に軟質ひも１６が第二鋼線３２を引き動かし、第二鋼線３２が第一円形ギヤ３５とスプライン軸３８とを連動させて下へスライドさせ、第一円形ギヤ３５が環状ギヤ３３と噛み合う。
【００１９】
そして、かご本体１３を水の中に浸し、第一モータ５７を始動し、第一モータ５７が第一駆動軸４４と第二ベベルギヤ４３とを連動させて回転させ、第二ベベルギヤ４３が第一ベベルギヤ４０とスプラインスリーブ３９とを連動させて回転させ、スプラインスリーブ３９がスプライン軸３８と第一円形ギヤ３５とを連動させて回転させ、第一円形ギヤ３５が回転して環状ギヤ３３と噛み合い、環状回転ブロック１７を連動させて回転させる。
【００２０】
同時に、環状回転ブロック１７が第二円形ギヤ４９を連動させて環状ギヤ３３の中心を回って回転させ、環状ギヤ３３が第二円形ギヤ４９を連動させて回転させ、第二円形ギヤ４９が第三ベベルギヤ４７を連動させて回転させ、第三ベベルギヤ４７が第四ベベルギヤ５６と扇形ギヤ５４とを連動させて回転させ、扇形ギヤ５４が回転した後で第三円形ギヤ５１と噛み合い、これにより第三円形ギヤ５１を連動させて回転させ、第三円形ギヤ５１が第二揺れ動きブロック１４を連動させて回転させ、第二揺れ動きブロック１４が第一揺れ動きブロック２０を連動させて回転させ、扇形ギヤ５４が第三円形ギヤ５１との噛み合いから離脱する時、第二揺れ動きブロック１４と第一揺れ動きブロック２０とが重力の作用のもとで最初の位置まで戻り、即ち第二揺れ動きブロック１４と第一揺れ動きブロック２０とが絶えず揺れ動き、これによりブラシ１５が野菜を繰り返して洗う。
【００２１】
以上により、本発明の快速に野菜を洗うことができる野菜かごは反応が早く、操作が簡単明瞭であり、安全で信頼でき、同時に、本発明の装置は野菜を洗える面積が大きく、効率が高く、使用寿命が長く、実用性が高い。
【００２２】
以上に述べたのはただ本発明の具体的な実施方式で、しかし本発明の保護範囲はここに限らないであり、全部の創造的な労働を通じなく思いついた変化と取替は本発明の保護範囲にカバーされる。